(57)【要約】本発明は、少なくとも１個の制御部材（１０７）とケース（１０１）を有する電話兼用時計に関し、本発明の電話兼用時計は、前記ケース内に送信機用電気音響トランデューサ（１０３）が搭載され、この送信機用電気音響トランデューサ（１０３）は、前記ケース内に配列された音響出力キャビティ（１１７）と連通し、少なくとも１個のチャネル（１０９ａ、１０９ｂ）を介して外部と直接連通し、前記電話兼用時計は、２個の出力チャネル（１０９ａ、１０９ｂ）を有する。前記出力チャネルは、前記制御部材の両側に且つ時計の６−１２時の軸に対し同一側に開口していることを特徴とする。
2006513425.tif 000002
【特許請求の範囲】
【請求項１】
少なくとも１個の制御部材（１０７、１０８ａ、１０８ｂ）とケース（１０１）を有する電話兼用時計において、
前記ケース内に送信機用電気音響トランデューサ（１０３）が搭載され、この送信機用電気音響トランデューサ（１０３）は、前記ケース内に配列された音響出力キャビティ（１１７）と連通し、少なくとも１個のチャネル（１０９ａ、１０９ｂ）を介して外部と直接連通し、
前記電話兼用時計は、２個の出力チャネル（１０９ａ、１０９ｂ）を有し、
前記出力チャネル（１０９ａ、１０９ｂ）は、前記制御部材（１０８ａ）の両側に且つ時計の６−１２時の軸に対し同一側に開口している
ことを特徴とする電話兼用時計。
【請求項２】
前記送信機用電気音響トランデューサ（１０３）と音響出力キャビティ（１１７）との間で防水性を保証する手段（１１８）をさらに有する
ことを特徴とする請求項１記載の電話兼用時計。
【請求項３】
前記出力チャネル（１０９ａ、１０９ｂ）は、異なる方向を向いている
ことを特徴とする請求項１または２記載の電話兼用時計。
【請求項４】
前記ケース（１０１）内に搭載され、音響入力キャビティと連通する受信器用電気音響トランデューサ（１０４）をさらに有し、
前記音響入力キャビティは、前記ケース内に配列され、少なくとも１個の入力チャネル（１１０）を介して外部と連通し、
前記入力チャネル（１１０）は、時計の６−１２時の軸に対し前記制御装置（１０７）とは反対側に開口している
ことを特徴とする請求項１−３のいずれかに記載の電話兼用時計。
【請求項５】
前記受信器用電気音響トランデューサ（１０４）と音響入力キャビティとの間で防水性を保証する手段をさらに有する
ことを特徴とする請求項４記載の電話兼用時計。
【請求項６】
請求項４または５のいずれかに記載の電話兼用時計の通話方法において、
前記送信機用電気音響トランデューサ（１０３）と受信器用電気音響トランデューサ（１０４）は、それぞれ、ユーザの耳と口の方向を向き、
前記時計は、ユーザの腕の内側に装着され、
その結果、ユーザの耳に配置されたユーザの腕は、送信機用電気音響トランデューサ（１０３）用の共鳴チェンバーとして機能する。
ことを特徴とする電話兼用時計の使用方法。
【発明の詳細な説明】
【技術分野】
【０００１】
本発明は、告時機能と移動通信システムで使用できる両方の機能を有する電話兼用時計に関し、特に、少なくとも１個の制御部材とケースを有し、このケース内に送信機用電気音響トランデューサが搭載され、この送信機用電気音響トランデューサは、前記ケース内に配列された音響出力キャビティと連通し、少なくとも１個のチャネルを介して外部と直接連通する電話兼用時計に関する。
【背景技術】
【０００２】
このような電話兼用時計は、従来技術例えば特許文献１から公知である。時計のケースのバックカバーの平面図を示す図１から解るように、この電話兼用時計は、ガラス製のケース１と、中央部分と、バックカバー２とを有する。バックカバーのみを図１には示している。
【０００３】
【特許文献１】欧州特許第１１２６６２３号明細書
【特許文献２】欧州特許第０８９９６３４号明細書
【特許文献３】欧州特許第０８９９６３５号明細書
【特許文献４】デンマーク特許第１００３２６９７号明細書
【特許文献５】日本特許公開第２００１−０２８６２０号
【特許文献６】国際公開第９８／２７７０２号明細書
【特許文献７】国際公開台９８／０５１４８号明細書
【特許文献８】欧州特許第０８７１２３６明細書
【特許文献９】欧州特許第０８９９６３５明細書
【０００４】
そのバックカバー２内に、電話兼用時計は、スピーカー３とマイク４とを有する。ここでは詳細には記述しない他の要素の機能に加えて、例えばアキュムレータ（図示せず）に再チャージエネルギーを供給するチャージコイル５と、ＳＭＩカード用のハウジング６とが示されている。
【０００５】
スピーカー３とマイク４は、外部とは防水機能を具備しながら分離されている。このような防水構造の一例は特許文献２はマイクについて、特許文献３はスピーカについて開示している。
【０００６】
時計は、少なくとも１個の制御部材を有する、例えば３時の位置に配列された竜頭と、２時と４時の位置にそれぞれ配列されたプッシュボタン８ａ、８ｂがそれである。
【０００７】
ケース１内でスピーカー３の占有面積を小さくするために、出力チャネル９は、時計の６−１２時の軸に対し、ケース１の竜頭７とは反対側の位置に配列されている。これらのチャネルは、一方の側が外部に開口しており、他方の側がスピーカの出力音響キャビティに向いて開口している。このキャビティは、図に示した例では、スピーカの上に重なっている。
【０００８】
しかし、この種の構造は騒音環境で電話兼用時計を電話機として実際に使用するときには大きな欠点がある。騒音環境とは、例えばビル街、駅、バー、ショッピングセンター内である。実際にこのような音響が悪い状態にあっては、時計を腕に付けたユーザは、時計を自分の耳の方に持っていかなければならない。図２、２Ａから解るように、時計は、スピーカである出力チャネル９はユーザの耳に、マイクである入力チャネル１０は、ユーザの口に向くように方向付けられる。それ故に、音響状態は好ましくなく、電話通信も困難となる。
【０００９】
ユーザが通話中に時計を反対の手首に装着するような解決方法は、ユーザにとってかなり不便なだけでなく、プッシュボタン８ａ、８ｂを利用したり、特に出力チャネル９を使用することが困難となる。
【００１０】
従来技術に係る既存の構造がこのような問題を解決するために提案されている。図３は、特許文献４で提案された構造を示している。この時計には、通話中に利用者の耳の位置にスピーカを持ってくるような折り畳み可能なスピーカー３を具備している。しかしこの解決方法にはいくつかの欠点がある。第１に、このような構造体により、スピーカと時計のケースに配列されたプリント回路基板との間の電気的接続が複雑になる点である。第２に、時計に必要とされる通常３バールの圧力に相当する最低の防水条件を保証できなくなる点である。第３に、時計の全体的な美的外観が全く変化してしまい、その結果腕に装着するこの種の時計に対し小型化の利点を有さなくなる点である。特に電話として使用している時にはそうである。
【００１１】
従来技術に係るさまざまな特許文献、特に特許文献５、６、７、８は、全て特許文献４の欠点に類似した欠点を有する構造体を提案している。
【発明の開示】
【発明が解決しようとする課題】
【００１２】
従来技術に係るこれらの欠点を解決するために、本発明は、電気音響トランデューサであるマイクとスピーカを１個の時計ケース内に配置し、電話兼用時計を電話機として使用しているときに、良好な音響状態を提案するような電話兼用時計である。
【課題を解決するための手段】
【００１３】
それ故に、本発明は、特許請求の範囲の前段に記載された時計に関し、その特徴は、出力チャネルは、時計の６−１２時の軸に対し制御装置と同一側に開いている。
【００１４】
好ましくは、電気音響トランデューサは、防水機能を具備しながら、時計のケース内に搭載される。
【実施例】
【００１５】
図４は、電話兼用時計の送信用電気音響トランデューサの断面図を示す。この図４に示された本発明の一実施例によれば、本発明の時計は、好ましくは防水性で、その防水性能は、実際一般的な値である少なくとも水深３０ｍまで保証できるものである。
【００１６】
本発明の時計は、ケース１０１と、ガラス１１１と、針１１２と、文字盤１１３と、小型モータ１１４と、プリント回路基板１１５とを有する。これらの図示されている構成要素および図示されていない構成要素、例えば、水晶、輪列、集積回路等は、従来と同様なものであり、それ故に同図には示されていない。時計の電話機能用に第２プリント回路１１６を具備する。
【００１７】
図に示したケース１０１は、防水機能を具備しながら、例えば結合、ネジ止め、スナップ・フィッティング等の手段によりケースに固定される。バックカバー１０２とケース１０１とは、１個のモールド部品で構成することができる。ケース１０１は、音響出力キャビティ１１７を有する。この音響出力キャビティ１１７は、少なくとも１個の側面方向で開口した出力チャネル１０９を介して外部と直接連通状態にある。
【００１８】
本発明の一実施例によれば、薄膜１１８は、時計の内側を外部に対して防水機能を持たせている。薄膜１１８は、防水性および防ガス性の変形可能材料、例えばシリコンから製造される。圧力補償手段も図示していないが、具備する。
【００１９】
例えばスピーカである送信機用電気音響トランデューサ１０３が、ケースのハウジング内に固定して搭載され、電気的接点を介して第２プリント回路１１６に取り付けられている。送信機用電気音響トランデューサ１０３は、音響出力キャビティ１１７と連通状態にあり、電気音響波を音響出力キャビティ１１７に搬送し、そしてさらに出力チャネル１０９に搬送する。このために、送信機用電気音響トランデューサ１０３と音響出力キャビティ１１７は、図示したような共通の側面に配列される。しかし、送信機用電気音響トランデューサ１０３と／または音響出力キャビティ１１７を傾斜させたり、あるいは幾分重ね合わせるような他の配列も本発明に含まれる。特許文献９に記載したものと同様なスピーカは、この特許文献９の図１で示されており、その記載は本明細書にそのまま引用する。
【００２０】
図５は図４の実施例による時計ケースの平面図で、特に、この実施例ではオフセット状態で配列された、制御装置と音響キャビティに関連した電気音響トランデューサの配置場所を表示している。同図にはケース１０１と、制御装置、例えば時間設定部材１０７の両側に配列されたプッシュボタン１０８ａと１０８ｂと、ＳＩＭカードを収納するハウジング１０６と、受信機用電気音響トランデューサ１０４と、送信機用電気音響トランデューサ１０３とが示されている。
【００２１】
好ましくは図に示すように、送信機用電気音響トランデューサ１０３の音響出力キャビティ１１７は、２個の出力チャネル１０９ａ、１０９ｂを介して外部と直接連通している。この出力チャネル１０９ａと１０９ｂは、制御装置１０８ａの両側で側面方向に開口している。これらの別々のチャネルは、別々の出力方向を有し、外部の方向に向かって音響信号の伝送を改善する効果を有する。
【００２２】
受信器用電気音響トランデューサ１０４の入力チャネル１１０は、６−１２時の軸を中心に制御装置１０８に対しケースの反対側に開口しており、そして好ましくはスピーカの出力チャネル１０９ａと１０９ｂが開口している方向から離れた領域に配置されている。入力チャネル１１０は、例えば１１時の場所に開口しており、スピーカとマイクとの間の干渉を減らす効果を有する。
【００２３】
図６、６Ａは、図４、５の実施例による通話中に用いられる電話兼用時計を示す。
【００２４】
同図に示された実施例においては、図２とは異なり、スピーカである出力チャネル１０９ａ、１０９ｂとマイクである入力チャネル１１０は、それぞれ、ユーザの耳と口の側を向いている。これにより、通話中特に騒音環境下での良好な音響効果を提供する。
【００２５】
図示しない本発明の一実施例によれば、音響効果をさらに改善するために、時計を手首の内側に装着してユーザの耳に配置された手がスピーカの共鳴チェンバーとして機能するよう構成することができる。
【００２６】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００２７】
【図１】従来技術に係る電話兼用時計を表す図。
【図２】通話中の図１の電話兼用時計の使用例を表す図。
【図２Ａ】図２の電話兼用時計の拡大図。
【図３】従来に係る手首に装着可能な携帯電話機を表す図。
【図４】本発明の一実施例による送信機である電気音響トランデューサの場所で切断した電話兼用時計の断面図。
【図５】図４の実施例による時計ケースの平面図。
【図６】図４、５の実施例による通話中の電話兼用時計の使用例を表す図。
【図６Ａ】図６の電話兼用時計の部分拡大図。
【符号の説明】
【００２８】
１  ケース
２  バックカバー
３  スピーカー
４  マイク
５  チャージコイル
６  ハウジング
７  竜頭
８ａ、８ｂ  プッシュボタン
９  出力チャネル
１０  入力チャネル
１０１  ケース
１０２  バックカバー
１０３  送信機用電気音響トランデューサ
１０４  受信器用電気音響トランデューサ
１０６  ハウジング
１０７  時間設定部材
１０８ａ、１０８ｂ  プッシュボタン
１０９ａ，１０９ｂ  出力チャネル
１１０  入力チャネル
１１１  ガラス
１１２  針
１１３  文字盤
１１４  小型モータ
１１５  プリント回路基板
１１６  第２プリント回路
１１７  音響出力キャビティ
１１８  薄膜
【図１】
2006513425.tif 000003
【図２】
2006513425.tif 000004
【図３】
2006513425.tif 000005
【図４】
2006513425.tif 000006
【図５】
2006513425.tif 000007
【図６】
2006513425.tif 000008
【手続補正書】
【提出日】平成17年4月5日(2005.4.5)
【手続補正１】
【補正対象書類名】特許請求の範囲
【補正対象項目名】全文
【補正方法】変更
【補正の内容】
【特許請求の範囲】
【請求項１】
少なくとも１個の制御部材（１０７、１０８ａ、１０８ｂ）とケース（１０１）を有する電話兼用時計において、
前記ケース内に送信機用電気音響トランデューサ（１０３）が搭載され、この送信機用電気音響トランデューサ（１０３）は、前記ケース内に配列された音響出力キャビティ（１１７）と連通し、少なくとも１個のチャネル（１０９ａ、１０９ｂ）を介して外部と直接連通し、
前記電話兼用時計は、２個の出力チャネル（１０９ａ、１０９ｂ）を有し、
前記出力チャネル（１０９ａ、１０９ｂ）は、前記制御部材（１０８ａ）の両側に且つ時計の６−１２時の軸に対し同一側に開口している
ことを特徴とする電話兼用時計。
【請求項２】
前記送信機用電気音響トランデューサ（１０３）と音響出力キャビティ（１１７）との間で防水性を保証する手段（１１８）をさらに有する
ことを特徴とする請求項１記載の電話兼用時計。
【請求項３】
前記出力チャネル（１０９ａ、１０９ｂ）は、異なる方向を向いている
ことを特徴とする請求項１または２記載の電話兼用時計。
【請求項４】
前記ケース（１０１）内に搭載され、音響入力キャビティと連通する受信器用電気音響トランデューサ（１０４）をさらに有し、
前記音響入力キャビティは、前記ケース内に配列され、少なくとも１個の入力チャネル（１１０）を介して外部と連通し、
前記入力チャネル（１１０）は、時計の６−１２時の軸に対し前記制御装置（１０７）とは反対側に開口している
ことを特徴とする請求項１−３のいずれかに記載の電話兼用時計。
【請求項５】
前記受信器用電気音響トランデューサ（１０４）と音響入力キャビティとの間で防水性を保証する手段をさらに有する
ことを特徴とする請求項４記載の電話兼用時計。
【請求項６】
請求項４または５のいずれかに記載の電話兼用時計の通話方法において、
前記送信機用電気音響トランデューサ（１０３）と受信器用電気音響トランデューサ（１０４）は、それぞれ、ユーザの耳と口の方向を向き、
前記時計は、ユーザの腕の内側に装着され、
その結果、ユーザの耳に配置されたユーザの腕は、送信機用電気音響トランデューサ（１０３）用の共鳴チェンバーとして機能する。
ことを特徴とする電話兼用時計の使用方法。
【国際調査報告】
2006513425.tif 000009
2006513425.tif 000010
2006513425.tif 000011
2006513425.tif 000012
2006513425.tif 000013
2006513425.tif 000014